Podtech/llm-jp-corpus-v4-ja_patent huggingface dataset:
【手続補正書】
【提出日】平成21年6月25日(2009.6.25)
【手続補正１】
【補正対象書類名】特許請求の範囲
【補正対象項目名】全文
【補正方法】変更
【補正の内容】
【特許請求の範囲】
【請求項１】
外周に所定ピッチで設けた首吊り部にワークを支持して回転する回転テーブルと、この回転テーブルに連設し、前記首吊り部にワークを送り込むレールユニットと、この送り込まれたワークを検査する検査ユニットとを備えた部品検査装置において、
前記レールユニットの搬送最終端には、外部から受ける押圧力に応じて開閉自在に構成された開閉部材が取付けられていることを特徴とする部品検査装置。
【請求項２】
前記首吊り部は、前記回転テーブルの内域方向に切り込まれて形成される案内面と、回転テーブルの逆回転方向に切り込まれて形成される支持面とから構成されることを特徴とする請求項１に記載の部品検査装置。
【請求項３】
前記開閉部材は、常時、前記レールユニットの延長線上に位置するよう、ばねで付勢される一方、前記首吊り部に支持されたワークに押圧されたとき、当該ばねの付勢に逆らって前記回転テーブルの回転方向に開放するように構成されていることを特徴とする請求項１又は請求項２に記載の部品検査装置。
【手続補正２】
【補正対象書類名】明細書
【補正対象項目名】０００６
【補正方法】変更
【補正の内容】
【０００６】
本発明は、外周に所定ピッチで設けた首吊り部にワークを支持して回転する回転テーブルと、この回転テーブルに連設し、前記首吊り部にワークを送り込むレールユニットと、この送り込まれたワークを検査する検査ユニットとを備えた部品検査装置において、前記レールユニットの搬送最終端には、外部から受ける押圧力に応じて開閉自在に構成された開閉部材が取付けられていることを特徴とする。また、前記首吊り部は、前記回転テーブルの内域方向に切り込まれて形成される案内面と、回転テーブルの逆回転方向に切り込まれて形成される支持面とから構成されることを特徴とする。さらに、前記開閉部材は、常時、前記レールユニットの延長線上に位置するよう、ばねで付勢される一方、前記首吊り部に支持されたワークに押圧されたとき、当該ばねの付勢に逆らって前記回転テーブルの回転方向に開放するように構成されていることを特徴とする。
【手続補正書】
【提出日】平成20年12月2日(2008.12.2)
【手続補正１】
【補正対象書類名】明細書
【補正対象項目名】００１８
【補正方法】削除
【補正の内容】
【手続補正２】
【補正対象書類名】明細書
【補正対象項目名】００４１
【補正方法】変更
【補正の内容】
【００４１】
(ｖ) その他のシリコーン類
上記以外に、ポリエーテル変性シリコーン、メチルフェニルポリシロキサン、脂肪酸変性シリコーン、アルコール変性シリコーン、アルコキシ変性シリコーン、エポキシ変性シリコーン、フッ素変性シリコーン、アルキル変性シリコーン等が挙げられる。
【手続補正３】
【補正対象書類名】明細書
【補正対象項目名】００６９
【補正方法】変更
【補正の内容】
【００６９】
【化１３】
2008297262.tif 000001
【手続補正４】
【補正対象書類名】明細書
【補正対象項目名】００７３
【補正方法】変更
【補正の内容】
【００７３】
また、油性成分としては、カプリン酸、ラウリン酸、ミリスチン酸、パルミチン酸、ステアリン酸、ベヘニン酸、オレイン酸、ヤシ油脂肪酸等の成分(B)以外の高級脂肪酸、流動パラフィン、流動イソパラフィン、ワセリン、スクワレン、スクワラン等の炭化水素油等が挙げられる。また、ツバキ油、マカデミアナッツ油、トウモロコシ油、オリーブ油、アボカド油、ヒマシ油、サフラワー油、ホホバ油、ヒマワリ油、ナタネ油、ゴマ油、大豆油、メドウフォーム油等の天然油脂；ミリスチン酸イソプロピル、パルミチン酸イソプロピル、ミリスチン酸ミリスチル、パルミチン酸オクチル、ステアリン酸ステアリル、ステアリン酸イソセチル、イソノナン酸イソノニル、イソノナン酸イソトリデシル、ステアリン酸硬化ヒマシ油、ヒドロキシステアリン酸硬化ヒマシ油、トリ2-エチルヘキサン酸グリセリル、テトラ2-エチルヘキサン酸ペンタエリスリトール、ジカプリン酸ネオペンチルグリコール、ジイソステアリン酸ジグリセリル、ジペンタエリスリトールとヒドロキシステアリン酸／ステアリン酸／ロジン酸等の混合脂肪酸とのエステル等のエステル油が挙げられる。
【手続補正５】
【補正対象書類名】明細書
【補正対象項目名】００８９
【補正方法】変更
【補正の内容】
【００８９】
以下に示す毛髪化粧料のpHは、水で20重量倍希釈したときの25℃における値である。
【手続補正書】
【提出日】平成21年10月21日(2009.10.21)
【手続補正１】
【補正対象書類名】特許請求の範囲
【補正対象項目名】全文
【補正方法】変更
【補正の内容】
【特許請求の範囲】
【請求項１】
針電極と、針電極に対向して配置された対向電極と、両電極を保持する筐体とを備え、両電極間での放電により発生したイオン風を利用した送風装置であって、筐体の内部に、針電極と対向電極とによって構成される送風部が設けられ、複数の送風部が、送風方向に沿って直列に配されたことを特徴とする送風装置。
【請求項２】
筐体は、屈曲して形成され、屈曲箇所に送風部が配されたことを特徴とする請求項１記載の送風装置。
【請求項３】
請求項１または２に記載の送風装置を汚れ除去のために備えたことを特徴とする光学機器。
【請求項４】
請求項１または２に記載の送風装置を汚れ除去のために備えたことを特徴とする人体内に挿入される医療機器。
【請求項５】
請求項１または２に記載の送風装置を換気、冷却、送風のいずれかの用途のために備えたことを特徴とするウェアラブル機器。
【手続補正書】
【提出日】平成21年6月12日(2009.6.12)
【手続補正１】
【補正対象書類名】特許請求の範囲
【補正対象項目名】全文
【補正方法】変更
【補正の内容】
【特許請求の範囲】
【請求項１】
壁の亀裂に先端が配置され該亀裂に充填材を注入する注入ノズルと、壁面に吸着により付設され吸着解除により離脱させられる吸着ブロックと、該吸着ブロックに設けられ先端部に上記注入ノズルが取付けられるアームとを備えた壁の亀裂補修装置において、
上記アームの中間部を上記吸着ブロックに対し上記中間部を通り該アームの先端部，中間部及び後端部を通る中心軸に直交し且つ上記壁面に平行な水平軸回りに回動可能に支持し、該アームの後端部に上記壁に先端が当接し上記注入ノズルによる充填材の充填時に当該アームに生じるモーメント荷重を受ける当接部材を取付け、
上記先端部及び中間部間の距離と、上記後端部及び中間部間の距離とを等しくし、
上記注入ノズルの上記アームに対する突出寸法及び上記当接部材の上記アームに対する突出寸法の少なくともいずれか一方の突出寸法を可変にし、
上記当接部材を上記アームに対して進退動可能に設け、該当接部材をその進出方向に付勢するスプリングを設け、
上記アームの中間部を上記吸着ブロックに対してユニバーサルジョイントを介して支持し、
上記アームの先端部を、上記注入ノズルが取付けられるユニバーサルジョイントで構成したことを特徴とする壁の亀裂補修装置。
【請求項２】
上記ユニバーサルジョイントの回動をロックするロック機構を設けたことを特徴とする請求項１記載の壁の亀裂補修装置。
【請求項３】
上記アームの後端部を、上記当接部材が取付けられるユニバーサルジョイントで構成したことを特徴とする請求項１または２記載の壁の亀裂補修装置。
【請求項４】
上記ユニバーサルジョイントの回動をロックするロック機構を設けたことを特徴とする請求項３記載の壁の亀裂補修装置。
【手続補正書】
【提出日】平成21年5月28日(2009.5.28)
【手続補正１】
【補正対象書類名】特許請求の範囲
【補正対象項目名】全文
【補正方法】変更
【補正の内容】
【特許請求の範囲】
【請求項１】
少なくとも、第１の色材及び第２の色材、の２つの色材を含有するインクジェット用インクであって、
前記第１の色材が、下記一般式（Ｉ）で表される化合物であり、
前記第２の色材が、下記一般式（III）で表される化合物であることを特徴とするインクジェット用インク。
2008297541.tif 000001
（一般式（Ｉ）中、Ｒ1、Ｒ2、Ｙ1及びＹ2はそれぞれ独立に、一価の基であり、Ｘ1及びＸ2はそれぞれ独立に、ハメットのσｐ値が０．２０以上の電子吸引性基であり、Ｚ1及びＺ2はそれぞれ独立に、水素原子、置換若しくは無置換のアルキル基、置換若しくは無置換のアルケニル基、置換若しくは無置換のアルキニル基、置換若しくは無置換のアラルキル基、置換若しくは無置換のアリール基、又は置換若しくは無置換のヘテロ環基であり、Ｍは、水素原子、アルカリ金属、アンモニウム、又は有機アンモニウムである。）
2008297541.tif 000002
（一般式（III）中、Ｒは、水素原子、炭素数１乃至４のアルキル基、炭素数１乃至４のアルコキシ基、又はスルホン酸基であり、ｎは１又は２、ｍは１乃至３の整数、ｘは２乃至４の整数、ｙは１乃至３の整数であり、Ｍはそれぞれ独立に、水素原子、アルカリ金属、アンモニウム、又は有機アンモニウムである。）
【請求項２】
前記一般式（Ｉ）で表される化合物が、下記一般式（II）で表される化合物である請求項１に記載のインクジェット用インク。
2008297541.tif 000003
（一般式（II）中、Ｙ1及びＹ2はそれぞれ独立に、一価の基であり、Ｘ1及びＸ2はそれぞれ独立に、ハメットのσｐ値が０．２０以上の電子吸引性基であり、Ｍはそれぞれ独立に、水素原子、アルカリ金属、アンモニウム、又は有機アンモニウムである。）
【請求項３】
前記一般式（III）で表される化合物が、下記一般式（IV）で表される化合物である請求項１又は２に記載のインクジェット用インク。
2008297541.tif 000004
（一般式（IV）中、Ｒは、水素原子、炭素数１乃至４のアルキル基、炭素数１乃至４のアルコキシ基、又はスルホン酸基であり、ｎは１又は２、ｌ（エル）は１又は２、ｘは２乃至４の整数、ｙは１乃至３の整数であり、Ｍは、それぞれ独立に、水素原子、アルカリ金属、アンモニウム、又は有機アンモニウムである。）
【請求項４】
前記第１の色材のインク中における含有量（質量％）が、前記第２の色材のインク中における含有量（質量％）に対して、質量比率で、１．０倍以上５．０倍以下である請求項１乃至３のいずれか１項に記載のインクジェット用インク。
【請求項５】
インクをインクジェット方式で吐出して記録媒体に記録を行うインクジェット記録方法において、前記インクが、請求項１乃至４のいずれか１項に記載のインクジェット用インクであることを特徴とするインクジェット記録方法。
【請求項６】
インクを収容するインク収容部を備えたインクカートリッジにおいて、前記インクが、請求項１乃至４のいずれか１項に記載のインクジェット用インクであることを特徴とするインクカートリッジ。
【請求項７】
インクを収容するインク収容部と、インクを吐出するための記録ヘッドとを備えた記録ユニットにおいて、前記インクが、請求項１乃至４のいずれか１項に記載のインクジェット用インクであることを特徴とする記録ユニット。
【請求項８】
インクを収容するインク収容部と、インクを吐出するための記録ヘッドとを備えたインクジェット記録装置において、前記インクが、請求項１乃至４のいずれか１項に記載のインクジェット用インクであることを特徴とするインクジェット記録装置。
【請求項９】
少なくとも、第１の色材及び第２の色材、の２つの色材を含有するインクジェット用インクであって、
前記第１の色材が、下記一般式（Ｉ）で表される化合物であり、
前記第２の色材が、ｐＨ緩衝能を有する色材であることを特徴とするインクジェット用インク。
2008297541.tif 000005
（一般式（Ｉ）中、Ｒ1、Ｒ2、Ｙ1及びＹ2はそれぞれ独立に、一価の基であり、Ｘ1及びＸ2はそれぞれ独立に、ハメットのσｐ値が０．２０以上の電子吸引性基であり、Ｚ1及びＺ2はそれぞれ独立に、水素原子、置換若しくは無置換のアルキル基、置換若しくは無置換のアルケニル基、置換若しくは無置換のアルキニル基、置換若しくは無置換のアラルキル基、置換若しくは無置換のアリール基、又は置換若しくは無置換のヘテロ環基であり、Ｍは、水素原子、アルカリ金属、アンモニウム、又は有機アンモニウムである。）
【手続補正２】
【補正対象書類名】明細書
【補正対象項目名】００１０
【補正方法】変更
【補正の内容】
【００１０】
上記の目的は以下の本発明によって達成される。すなわち、本発明にかかるインクジェット用インクは、少なくとも、第１の色材及び第２の色材、の２つの色材を含有するインクジェット用インクであって、前記第１の色材が、下記一般式（Ｉ）で表される化合物であり、前記第２の色材が、下記一般式（III）で表される化合物であることを特徴とする。
2008297541.tif 000006
（一般式（Ｉ）中、Ｒ1、Ｒ2、Ｙ1及びＹ2はそれぞれ独立に、一価の基であり、Ｘ1及びＸ2はそれぞれ独立に、ハメットのσｐ値が０．２０以上の電子吸引性基であり、Ｚ1及びＺ2はそれぞれ独立に、水素原子、置換若しくは無置換のアルキル基、置換若しくは無置換のアルケニル基、置換若しくは無置換のアルキニル基、置換若しくは無置換のアラルキル基、置換若しくは無置換のアリール基、又は置換若しくは無置換のヘテロ環基であり、Ｍは、水素原子、アルカリ金属、アンモニウム、又は有機アンモニウムである。）
2008297541.tif 000007
（一般式（III）中、Ｒは、水素原子、炭素数１乃至４のアルキル基、炭素数１乃至４のアルコキシ基、又はスルホン酸基であり、ｎは１又は２、ｍは１乃至３の整数、ｘは２乃至４の整数、ｙは１乃至３の整数であり、Ｍはそれぞれ独立に、水素原子、アルカリ金属、アンモニウム、又は有機アンモニウムである。）
【手続補正３】
【補正対象書類名】明細書
【補正対象項目名】００１１
【補正方法】変更
【補正の内容】
【００１１】
また、本発明の別の実施態様にかかるインクジェット用インクは、少なくとも、第１の色材及び第２の色材、の２つの色材を含有するインクジェット用インクであって、前記第１の色材が、下記一般式（Ｉ）で表される化合物であり、前記第２の色材がｐＨ緩衝能を有する色材であることを特徴とする。
2008297541.tif 000008
（一般式（Ｉ）中、Ｒ1、Ｒ2、Ｙ1及びＹ2はそれぞれ独立に、一価の基であり、Ｘ1及びＸ2はそれぞれ独立に、ハメットのσｐ値が０．２０以上の電子吸引性基であり、Ｚ1及びＺ2はそれぞれ独立に、水素原子、置換若しくは無置換のアルキル基、置換若しくは無置換のアルケニル基、置換若しくは無置換のアルキニル基、置換若しくは無置換のアラルキル基、置換若しくは無置換のアリール基、又は置換若しくは無置換のヘテロ環基であり、Ｍは、水素原子、アルカリ金属、アンモニウム、又は有機アンモニウムである。）
【手続補正書】
【提出日】平成21年9月24日(2009.9.24)
【手続補正１】
【補正対象書類名】特許請求の範囲
【補正対象項目名】全文
【補正方法】変更
【補正の内容】
【特許請求の範囲】
【請求項１】
一対の電極と、前記一対の電極の間に配置されている発光層とを有する有機発光素子において、前記発光層は、下記構造式で示されるベンゾ［ｋ］フルオランテン化合物
【化１】
2008297535.tif 000001
をドーパント材料として有し、ホスト材料として下記一般式［８］に示されるフルオレン化合物を有することを特徴とする有機発光素子。
【化２】
2008297535.tif 000002
（一般式［８］において、Ｒ1、Ｒ2は、水素原子、ハロゲン原子、置換あるいは無置換のアルキル基、アラルキル基、アルコキシ基、アリール基及び複素環基からなる群より選ばれた基であり、Ｒ1同士、Ｒ2同士は同じであっても異なっていてもよく、またＲ1、Ｒ2は互いに同じであっても異なっていてもよい。
Ｒ3、Ｒ4は、ハロゲン原子、置換あるいは無置換のアルキル基、アラルキル基、アルコキシ基、アリール基及び複素環基からなる群より選ばれた基であり、Ｒ3同士、Ｒ4同士は同じであっても異なっていてもよく、またＲ3、Ｒ4は互いに同じであっても異なっていてもよい。
Ｙ1、Ｙ2は置換あるいは無置換のフェニレン基であり、Ｙ1同士、Ｙ2同士は同じであっても異なっていてもよく、またＹ1、Ｙ2は互いに同じであっても異なっていてもよい。
ｍ、ｎはそれぞれ１乃至３の整数。
ｔは０または１。ｔ＝０のとき、末端のフルオレニル基のＹ2が置換する位置には水素原子以外にハロゲン原子、置換あるいは無置換のアルキル基、アラルキル基、アルコキシ基、フェニル基からなる群より選ばれた基が置換してもよい。
ｒは１乃至５の整数。）
【請求項２】
前記一般式［８］のＹ1、Ｙ2が下記一般式［５］あるいは［７］から選ばれる基で示されることを特徴とする請求項１に記載の有機発光素子。
【化３】
2008297535.tif 000003
（一般式［５］において、Ｒ5は、ハロゲン原子、置換あるいは無置換のアルキル基、アラルキル基、アルコキシ基、アリール基及び複素環基からなる群より選ばれた基であり、Ｒ5同士は同じであっても異なっていてもよい。
ｃは０乃至４の整数。
一般式［７］において、Ｒ7は、ハロゲン原子、置換あるいは無置換のアルキル基、ア
ラルキル基、アルコキシ基、アリール基及び複素環基からなる群より選ばれた基であり、
Ｒ7同士は同じであっても異なっていてもよい。
ｅは０乃至４の整数。）
【請求項３】
前記ホスト材料が下記一般式［９］又は［１０］で示されることを特徴とする請求項１又は２に記載の有機発光素子。
【化４】
2008297535.tif 000004
【請求項４】
前記ホスト材料が下記に示される化合物であることを特徴とする請求項１乃至３のいずれか１項に記載の有機発光素子。
【化５】
2008297535.tif 000005
【請求項５】
請求項１乃至４の何れか１項に記載の有機発光素子と、前記有機発光素子と接続するスイッチング素子と、を有するディスプレイ。
【手続補正２】
【補正対象書類名】明細書
【補正対象項目名】発明の名称
【補正方法】変更
【補正の内容】
【発明の名称】有機発光素子
【手続補正３】
【補正対象書類名】明細書
【補正対象項目名】０００８
【補正方法】変更
【補正の内容】
【０００８】
すなわち、本発明の有機発光素子は、一対の電極と、前記一対の電極の間に配置されている発光層とを有する有機発光素子において、前記発光層は、下記構造式で示されるベンゾ［ｋ］フルオランテン化合物
【化１−１】
2008297535.tif 000006
をドーパント材料として有し、ホスト材料として下記一般式［８］に示されるフルオレン化合物を有することを特徴とする。
【手続補正４】
【補正対象書類名】明細書
【補正対象項目名】０００９
【補正方法】変更
【補正の内容】
【０００９】
【化１】
2008297535.tif 000007
【手続補正５】
【補正対象書類名】明細書
【補正対象項目名】００１０
【補正方法】変更
【補正の内容】
【００１０】
（一般式［８］において、Ｒ1、Ｒ2は、水素原子、ハロゲン原子、置換あるいは無置換のアルキル基、アラルキル基、アルコキシ基、アリール基及び複素環基からなる群より選ばれた基であり、Ｒ1同士、Ｒ2同士は同じであっても異なっていてもよく、またＲ1、Ｒ2は互いに同じであっても異なっていてもよい。
【手続補正６】
【補正対象書類名】明細書
【補正対象項目名】００１１
【補正方法】変更
【補正の内容】
【００１１】
Ｒ3、Ｒ4は、ハロゲン原子、置換あるいは無置換のアルキル基、アラルキル基、アルコキシ基、アリール基及び複素環基からなる群より選ばれた基であり、Ｒ3同士、Ｒ4同士は同じであっても異なっていてもよく、またＲ3、Ｒ4は互いに同じであっても異なっていてもよい。
Ｙ1、Ｙ2は置換あるいは無置換のフェニレン基であり、Ｙ1同士、Ｙ2同士は同じであっても異なっていてもよく、またＹ1、Ｙ2は互いに同じであっても異なっていてもよい。
ｍ、ｎはそれぞれ１乃至３の整数。
ｔは０または１。ｔ＝０のとき、末端のフルオレニル基のＹ2が置換する位置には水素原子以外にハロゲン原子、置換あるいは無置換のアルキル基、アラルキル基、アルコキシ基、フェニル基からなる群より選ばれた基が置換してもよい。
【手続補正７】
【補正対象書類名】明細書
【補正対象項目名】００１２
【補正方法】変更
【補正の内容】
【００１２】
ｒは１乃至５の整数。）
【手続補正８】
【補正対象書類名】明細書
【補正対象項目名】００１３
【補正方法】削除
【補正の内容】
【手続補正９】
【補正対象書類名】明細書
【補正対象項目名】００１４
【補正方法】削除
【補正の内容】
【手続補正１０】
【補正対象書類名】明細書
【補正対象項目名】００１５
【補正方法】削除
【補正の内容】
【手続補正１１】
【補正対象書類名】明細書
【補正対象項目名】００１６
【補正方法】削除
【補正の内容】
【手続補正１２】
【補正対象書類名】明細書
【補正対象項目名】００１７
【補正方法】削除
【補正の内容】
【手続補正１３】
【補正対象書類名】明細書
【補正対象項目名】００２１
【補正方法】変更
【補正の内容】
【００２１】
本発明のベンゾ［ｋ］フルオランテン化合物は、一般式［１］で示される。
【化２−１】
2008297535.tif 000008
ベンゾ［ｋ］フルオランテン環３位へ結合するフルオランテン環の置換位置は特に問わないで使用でき、具体的には下記一般式［２］及び［３］、さらに一般式［１１］乃至［１３］で示される。
【手続補正書】
【提出日】平成21年6月2日(2009.6.2)
【手続補正１】
【補正対象書類名】特許請求の範囲
【補正対象項目名】全文
【補正方法】変更
【補正の内容】
【特許請求の範囲】
【請求項１】
極限粘度法で求めた平均分子量が５×１０６ 以上で、直鎖状のポリ(メタ)アクリルアミドの０．０００１〜０．０１重量％水溶液あるいは水分散液（Ａ）と式（１）で示されるポリ（ポリメチレンビグアナイド）塩酸塩（Ｂ）と、プロピレングリコール、ジプロピレングリコール、トリプロピレングリコール及びグリシンからなる群から選ばれる少なくとも１種以上の化合物（Ｃ）とを含んでなる清浄化剤。
［−（ＣＨ２）ｍ−ＮＨ−Ｃ（ＮＨ）−ＮＨ−Ｃ（ＮＨ）−ＮＨ−（ＣＨ２）ｎ−］ｐＨＣｌ    （１）
（式中、ｍ、ｎが２〜５の整数であり、ｐは５〜１６の整数である。）
【請求項２】
前記ポリ（メタ）アクリルアミド水溶液あるいは水分散液（Ａ）が、乾燥することにより固形分濃度が上昇し、保水性ゲルを形成するものである請求項１記載の清浄化剤。
【請求項３】
前記化合物（Ｃ）が、グリシンである請求項１又は２記載の清浄化剤。
【請求項４】
前記ポリ(メタ)アクリルアミドが、両性荷電重合体である請求項１〜３のいずれか１項に記載の清浄化剤。
【請求項５】
水溶性アクリル系共重合体を含む請求項１〜４のいずれか１項に記載の清浄化剤。
【請求項６】
前記水溶性アクリル系共重合体が、（メタ）アクリル酸−(メタ)アクリル酸エステル共重合体のアンモニウム塩である請求項５記載の清浄化剤。
【請求項７】
水溶性無機塩を含む請求項１〜５のいずれか１項に記載の清浄化剤。
【請求項８】
ゲル化剤を含む請求項１〜６のいずれか１項に記載の清浄化剤。
【請求項９】
前記ゲル化剤が、水溶性のアルカリ金属の塩、水溶性の２価のアルカリ土類金属塩、アルミニウム化合物、炭素数が２〜１８の２塩基性カルボン酸及びこれらのアンモニウム塩及びこれらのアミン塩及びこれらのアミノアルコール塩、水溶性高分子化合物のジヒドラジド、グルタールアルデヒド、グリオキザールからなる群から選ばれる少なくとも１種である請求項８記載の清浄化剤。
【請求項１０】
前記ゲル化剤が、前記ポリ(メタ)アクリルアミドが陰性荷電重合体又は陽性荷電重合体である場合、いずれも逆荷電のポリ(メタ)アクリルアミド及び／又は他の高分子化合物の塩類の水溶液である請求項８記載の清浄化剤。
【請求項１１】
脂肪酸塩又はその誘導体を含む請求項１〜１０のいずれか１項に記載の清浄化剤。
【請求項１２】
相間移動触媒として、第四級アンモニウム塩、グリコールエーテルまたはクラウンエーテルのいずれかを含む請求項１〜１１のいずれか１項に記載の清浄化剤。
【請求項１３】
炭素数が４〜１２のアルコールアミンを含む請求項１〜１２のいずれか１項に記載の清浄化剤。
【請求項１４】
磁性物質を含む請求項１〜１３のいずれか１項記載の清浄化剤。
【請求項１５】
前記磁性物質が、微粉末状の鉄、コバルト、ニッケル、マグネタイト又はこれらの金属を界面活性剤で分散させた磁性流体のいずれか１種以上である請求項１４記載の清浄化剤。
【手続補正２】
【補正対象書類名】明細書
【補正対象項目名】００１４
【補正方法】変更
【補正の内容】
【００１４】
すなわち、本発明は、極限粘度法で求めた平均分子量が５×１０６ 以上で、直鎖状のポリ(メタ)アクリルアミドの０．０００１〜０．０１重量％水溶液あるいは水分散液（Ａ）と式（１）で示されるポリヘキサメチレンビグアナイド塩酸塩（Ｂ）と、プロピレングリコール、ジプロピレングリコール、トリプロピレングリコール及びグリシンからなる群から選ばれる少なくとも1種以上の化合物（Ｃ）とを含んでなる清浄化剤を提供するものである。
式（１）
［−（ＣＨ２）ｍ−ＮＨ−Ｃ（ＮＨ）−ＮＨ−Ｃ（ＮＨ）−ＮＨ−（ＣＨ２）ｎ−］ｐＨＣｌ
（式中、ｍ、ｎが２〜５の整数であり、ｐは５〜１６の整数である。）
【手続補正３】
【補正対象書類名】明細書
【補正対象項目名】００３０
【補正方法】変更
【補正の内容】
【００３０】
本発明の清浄化剤は、溶剤としてプロピレングリコール、ジプロピレングリコール、トリプロピレングリコール及びグリシンからなる群から選ばれる少なくとも1種以上の化合物（Ｃ）を含むものである。
これらは、前記ＰＨＭＢ（Ｂ）の溶解性に優れ、除菌、消臭性を効果的に発揮することができる。
【手続補正書】
【提出日】平成21年10月9日(2009.10.9)
【手続補正１】
【補正対象書類名】特許請求の範囲
【補正対象項目名】全文
【補正方法】変更
【補正の内容】
【特許請求の範囲】
【請求項１】
チョクラルスキー法により炭素を添加したルツボ中の原料融液からシリコン単結晶を育成する炭素ドープシリコン単結晶の育成方法において、前記ルツボ中の原料に炭素を添加するドープ剤として押出成形材またはモールド成形材を用いることを特徴とするシリコン単結晶育成方法。
【請求項２】
請求項１に記載の炭素ドープしたシリコン単結晶の育成方法において、前記押出成形材またはモールド成形材からなるドープ剤は、押出成形材またはモールド成形材を粒状に砕いたものとすることを特徴とするシリコン単結晶育成方法。
【請求項３】
請求項１又は請求項２に記載の炭素ドープしたシリコン単結晶の育成方法において、前記ドープ剤を、シリコン原料とともにルツボ内に入れた後、原料を溶融し単結晶を育成することを特徴とするシリコン単結晶育成方法。
【請求項４】
請求項１又は請求項２に記載の炭素ドープしたシリコン単結晶の育成方法において、前記ドープ剤を、シリコン原料または融液の入ったルツボに上方から投下した後、単結晶を育成することを特徴とするシリコン単結晶育成方法。
【手続補正書】
【提出日】平成21年10月23日(2009.10.23)
【手続補正１】
【補正対象書類名】特許請求の範囲
【補正対象項目名】全文
【補正方法】変更
【補正の内容】
【特許請求の範囲】
【請求項１】
本体部と、前記本体部に開閉可能に軸支されたガラス扉及び皿ユニットと、
前記皿ユニットを前記本体部に対してロック状態で保持する第１の位置と前記皿ユニットを前記本体部に対して開放可能にする第２の位置とに動作する第１のロック装置と、前記第１のロック装置を第２の位置に移動させるための操作片と、
前記第１のロック装置とは異なる位置に設置され、前記皿ユニットを前記本体部に対してロック状態で保持する第１の位置と前記開閉部材を前記皿ユニットに対して開放可能にする第２の位置とに動作する第２のロック装置と、
前記第２のロック装置を前記第１のロック装置に連動して動作させる動力伝達部材と、を備えた遊技機において、
前記第１のロック装置は、前記本体部または前記皿ユニットの何れか一方に設置されて前記操作片の操作により前記第１の位置と前記第２の位置とに可動する第１のロック爪、および前記皿ユニットまたは前記本体部の他方に設置されて前記第１のロック爪が係合する第１の係合部を有し、
前記第２のロック装置は、前記本体部または前記皿ユニットの何れか一方に設置されて前記操作片の操作により前記第１の位置と前記第２の位置とに可動する第２のロック爪、および前記皿ユニットまたは前記本体部の他方に設置されて前記第２のロック爪が係合する第２の係合部を有し、
前記動力伝達部材は、前記第１のロック爪に当接する第１の当接部を有するスライダおよび前記第２のロック爪に当接する第２の当接部を有するリンク本体からなり、
前記第１の当接部は斜め上方に傾斜していることを特徴とする遊技機。
【請求項２】
前記操作片は第１のロック爪の上方に設けられるとともに前記ガラス扉の解放時に操作可能であることを特徴とする請求項１記載の遊技機。
【請求項３】
前記第２のロック爪は前記リンク本体と一体に設けられていることを特徴とする請求項１記載の遊技機。
【手続補正２】
【補正対象書類名】明細書
【補正対象項目名】０００８
【補正方法】変更
【補正の内容】
【０００８】
上記課題を解決するため、本発明に係る遊技機は、本体部と、前記本体部に開閉可能に軸支されたガラス扉及び皿ユニットと、前記皿ユニットを前記本体部に対してロック状態で保持する第１の位置と前記皿ユニットを前記本体部に対して開放可能にする第２の位置とに動作する第１のロック装置と、前記第１のロック装置を第２の位置に移動させるための操作片と、前記第１のロック装置とは異なる位置に設置され、前記皿ユニットを前記本体部に対してロック状態で保持する第１の位置と前記開閉部材を前記皿ユニットに対して開放可能にする第２の位置とに動作する第２のロック装置と、前記第２のロック装置を前記第１のロック装置に連動して動作させる動力伝達部材と、を備えた遊技機において、前記第１のロック装置は、前記本体部または前記皿ユニットの何れか一方に設置されて前記操作片の操作により前記第１の位置と前記第２の位置とに可動する第１のロック爪、および前記皿ユニットまたは前記本体部の他方に設置されて前記第１のロック爪が係合する第１の係合部を有し、前記第２のロック装置は、前記本体部または前記皿ユニットの何れか一方に設置されて前記操作片の操作により前記第１の位置と前記第２の位置とに可動する第２のロック爪、および前記皿ユニットまたは前記本体部の他方に設置されて前記第２のロック爪が係合する第２の係合部を有し、前記動力伝達部材は、前記第１のロック爪に当接する第１の当接部を有するスライダおよび前記第２のロック爪に当接する第２の当接部を有するリンク本体からなり、前記第１の当接部は斜め上方に傾斜していることを特徴とする。
【手続補正３】
【補正対象書類名】明細書
【補正対象項目名】００１０
【補正方法】変更
【補正の内容】
【００１０】
また、第１のロック装置と第２のロック装置とを動力伝達部材で連動させロック解除する構成を簡便な形で実現することができる。
【手続補正４】
【補正対象書類名】明細書
【補正対象項目名】００１１
【補正方法】変更
【補正の内容】
【００１１】
また、動力伝達部材を、可動するロック爪と独立させることができるので、リンクを変更するだけで、同一のロック装置を用いて他機種の遊技機に対応させることができる。
【手続補正５】
【補正対象書類名】明細書
【補正対象項目名】００１２
【補正方法】変更
【補正の内容】
【００１２】
本発明の好ましい形態において、前記操作片は第１のロック爪の上方に設けられるとともに前記ガラス扉の解放時に操作可能であることを特徴とする。
【手続補正６】
【補正対象書類名】明細書
【補正対象項目名】００１３
【補正方法】削除
【補正の内容】
【手続補正７】
【補正対象書類名】明細書
【補正対象項目名】００１４
【補正方法】変更
【補正の内容】
【００１４】
本発明のさらに好ましい形態において、前記第２のロック爪は前記リンク本体と一体に設けられていることを特徴とする。
【手続補正書】
【提出日】平成21年4月2日(2009.4.2)
【手続補正１】
【補正対象書類名】特許請求の範囲
【補正対象項目名】全文
【補正方法】変更
【補正の内容】
【特許請求の範囲】
【請求項１】
スズとビスマスの合金からなる弾芯が銅よりなる金属被甲で被覆された弾丸を製造する弾丸の製造方法であって、
一端が閉じられて他端が開口した円筒形の銅よりなるジャケットに、円筒状に成形されたスズとビスマスの合金からなるコアが収容された状態とする第１工程と、
前記ジャケットに収容された前記コアを前記一端の方向に押圧して前記ジャケットの一端側を第１の型に押しつけ、前記弾丸の一端が成形された状態とする第２工程と、
成形された前記一端を前記他端の方向に押圧して前記ジャケットの前記他端の側を第２の型に押しつけ、前記弾丸の頭部が成形された状態とする第３工程と
を少なくとも備えることを特徴とする弾丸の製造方法。
【請求項２】
請求項１記載の弾丸の製造方法において、
前記コアは、円錐台状の形状に形成され、前記第１工程は、前記コアの径の小さい側が前記ジャケットの一端の側に配置されて、前記ジャケットに前記コアが収容された状態とする
ことを特徴とする弾丸の製造方法。
【請求項３】
スズに対するビスマスの組成比が、重量比で５０〜８０％とされているスズとビスマスの合金からなる弾芯と、この弾芯を被覆する銅よりなる金属被甲と備えることを特徴とする弾丸。
【手続補正２】
【補正対象書類名】明細書
【補正対象項目名】発明の名称
【補正方法】変更
【補正の内容】
【発明の名称】弾丸の製造方法および弾丸
【手続補正３】
【補正対象書類名】明細書
【補正対象項目名】０００１
【補正方法】変更
【補正の内容】
【０００１】
本発明は、ピストル及びライフルなどに用いられる弾丸の製造方法および弾丸に関する。
【手続補正書】
【提出日】平成20年12月26日(2008.12.26)
【手続補正１】
【補正対象書類名】特許請求の範囲
【補正対象項目名】全文
【補正方法】変更
【補正の内容】
【特許請求の範囲】
【請求項１】
消費電力又は電気料金を計測する計測手段を有する空気調和機本体と、空気調和機の運転を停止させる停止ボタンを有するリモコンと、表示器とを備え、
前記リモコンの停止ボタンによって空気調和機の運転が停止された場合、前記空気調和機本体の前記計測手段で計測されたその運転開始から運転停止までの消費電力又は電気料金を前記表示器に表示するようにしたことを特徴とする空気調和機。
【請求項２】
前記計測手段は、さらに空気調和機の運転開始から運転停止までの時間を計測し、前記停止ボタンによって空気調和機の運転が停止された場合、前記消費電力又は電気料金に加え当該運転開始から運転停止までの運転時間を前記表示器に表示するようにしたことを特徴とする請求項１記載の空気調和機。
【請求項３】
前記表示器は、前記リモコンに設けられ、前記リモコンと前記空気調和機本体は、それぞれ双方向通信手段を備え、前記リモコンの停止ボタンによって空気調和機の運転が停止された場合、前記空気調和機本体から前記リモコンに前記計測手段で計測された消費電力又は電気料金のデータが送信され、前記リモコンは、その運転開始から運転停止までの消費電力又は電気料金を前記表示器に表示するようにしたことを特徴とする請求項１記載の空気調和機。
【手続補正２】
【補正対象書類名】明細書
【補正対象項目名】０００６
【補正方法】変更
【補正の内容】
【０００６】
上記目的を達成するために本発明は、消費電力又は電気料金を計測する計測手段を有する空気調和機本体と、空気調和機の運転を停止させる停止ボタンを有するリモコンと、表示器とを備え、前記リモコンの停止ボタンによって空気調和機の運転が停止された場合、前記空気調和機本体の前記計測手段で計測されたその運転開始から運転停止までの消費電力又は電気料金を前記表示器に表示するようにしたものである。
【手続補正書】
【提出日】平成21年2月2日(2009.2.2)
【手続補正１】
【補正対象書類名】明細書
【補正対象項目名】０００６
【補正方法】変更
【補正の内容】
【０００６】
上記目的を達成するための本発明は、並列に設けられた二つのクラッチを介して入力されたエンジンの回転を変速機出力軸に伝達する変速ギヤからなり、シフト位置としてニュートラルおよびドライブのいずれかを選択する選択手段と、前記変速ギヤを切り替える油圧制御手段とを有するシーケンシャル自動変速機において、シフト位置としてニュートラル位置が選択されていて、かつ該シーケンシャル自動変速機を搭載した車両の車速が予定の低速度以上の場合は、車速およびスロットル開度をパラメータとして変速段を設定した変速マップに基づいて前記油圧制御手段による変速ギヤの切り替えを行うように構成した点に第１の特徴がある。
【手続補正２】
【補正対象書類名】明細書
【補正対象項目名】００１１
【補正方法】変更
【補正の内容】
【００１１】
ツインクラッチを構成する第１クラッチＣＬ１および第２クラッチＣＬ２は、クラッチケースＣ１，Ｃ２をプライマリギヤＧＰ側に配し、インナドラムＡ１，Ａ２をプライマリギヤＧＰから遠い側に配した背中合わせで配置されている。第１クラッチＣＬ１および第２クラッチＣＬ２を油圧制御するための油圧発生源およびこれと連結される油路は、プライマリシャフトＳＰの左端部に集約されている。
【手続補正書】
【提出日】平成21年3月26日(2009.3.26)
【手続補正１】
【補正対象書類名】明細書
【補正対象項目名】発明の名称
【補正方法】変更
【補正の内容】
【発明の名称】湿度検出装置
【手続補正２】
【補正対象書類名】特許請求の範囲
【補正対象項目名】全文
【補正方法】変更
【補正の内容】
【特許請求の範囲】
【請求項１】
基板上全面に形成された有機絶縁層と、
前記有機絶縁層上に形成された第１の電極と、前記第１の電極上を覆って形成された発光層を含むエレクトロルミネセンス層と、前記エレクトロルミネセンス層上に形成された第２の電極とで構成されたエレクトロルミネセンス素子と、
前記エレクトロルミネセンス素子上を覆って形成された無機絶縁層と、
を有し、
前記エレクトロルミネセンス層は前記有機絶縁層と接する領域を有し、
前記エレクトロルミネセンス素子は前記有機絶縁層および前記無機絶縁層により全面が覆われている
ことを特徴とする湿度検出装置。
【請求項２】
基板上全面に形成された有機絶縁層と、
前記有機絶縁層上に形成された開口部を有する第１の電極と、前記開口部を有する第１の電極上に形成されたエレクトロルミネセンス層と、前記エレクトロルミネセンス層上に形成された第２の電極とで構成されたエレクトロルミネセンス素子と、
前記エレクトロルミネセンス素子上を覆って形成された無機絶縁層と、
を有し、
前記第１の電極は中心部に前記開口部が設けられ、前記開口部において前記エレクトロルミネセンス層と前記有機絶縁層は接する領域を有し、
前記エレクトロルミネセンス素子は、前記有機絶縁層および前記無機絶縁層により全面が覆われている
ことを特徴とする湿度検出装置。
【請求項３】
基板上全面に形成された第１の有機絶縁層と、
前記第１の有機絶縁層上に形成された第１の電極と、前記第１の電極上に形成された発光層を含むエレクトロルミネセンス層と、前記エレクトロルミネセンス層上に形成された第２の電極とで構成されたエレクトロルミネセンス素子と、
前記第１の有機絶縁層および前記第１の電極の周辺端部の上に形成された第２の有機絶縁層と、
前記第２の有機絶縁層および前記エレクトロルミネセンス素子の上に形成された無機絶縁層と、
を有し、
前記エレクトロルミネセンス層は前記第２の有機絶縁層と接する領域を有し、
前記第２の有機絶縁層は前記第１の有機絶縁層と接する領域を有し、
前記エレクトロルミネセンス素子は、前記第１の有機絶縁層、前記第２の有機絶縁層、および前記無機絶縁層により全面が覆われている
ことを特徴とする湿度検出装置。
【請求項４】
請求項１乃至請求項３のいずれか一において、
前記エレクトロルミネセンス素子における非発光領域の面積の増加量の時間変化により、湿度の検出を行う
ことを特徴とする湿度検出装置。
【請求項５】
請求項１又は請求項２において、
前記基板上全面に形成された前記有機絶縁層上に前記エレクトロルミネセンス素子が複数配置され、
複数配置された前記エレクトロルミネセンス素子上を覆って前記無機絶縁層が形成されている
ことを特徴とする湿度検出装置。
【請求項６】
請求項３において、
前記基板上全面に形成された前記第１の有機絶縁層上に前記エレクトロルミネセンス素子が複数配置され、
前記エレクトロルミネセンス素子のそれぞれは、前記第１の電極の周辺端部の上に前記第２の有機絶縁層が形成され、
複数配置された前記エレクトロルミネセンス素子および前記エレクトロルミネセンス素子のそれぞれに形成された前記第２の有機絶縁層の上を覆って前記無機絶縁層が形成されている
ことを特徴とする湿度検出装置。
【請求項７】
請求項５又は請求項６において、
複数配置された前記エレクトロルミネセンス素子における非発光となったエレクトロルミネセンス素子の個数の時間変化により、湿度の検出を行う
ことを特徴とする湿度検出装置。
【手続補正書】
【提出日】平成21年4月1日(2009.4.1)
【手続補正１】
【補正対象書類名】特許請求の範囲
【補正対象項目名】全文
【補正方法】変更
【補正の内容】
【特許請求の範囲】
【請求項１】
ガラス基板を所定の高さに浮上させる浮上ステージと、
前記浮上ステージ上に浮上された前記ガラス基板の側縁部を保持して搬送する搬送部と、
前記搬送部の搬送方向と直交する方向に配置される門型フレームと、
前記門型フレームの水平アーム部に沿って移動可能に設けられる検査ヘッドと、
前記浮上ステージに分離可能に設けられ、前記搬送部により搬送された前記ガラス基板の裏面を吸着保持してマクロ観察し易い傾斜角度に回動するマクロ検査用ステージと、
前記マクロ検査用ステージに保持された前記ガラス基板を照明するマクロ照明部とを備えたことを特徴とする基板検査装置。
【請求項２】
前記浮上ステージは、長方形状に形成された浮上ブロックを所定の間隔で複数列に配置され、前記マクロ検査用ステージは、前記複数列に配列された複数の浮上ブロックの各隙間に配置される櫛歯状に形成された基板支持部を有し、マクロ検査時に前記マクロ検査ステージが前記浮上ステージから分離し前記ガラス基板を吸着保持した状態で所定の傾斜角度に回動されることを特徴とする請求項１に記載の基板検査装置。
【請求項３】
前記浮上ステージは、前記ガラス基板の搬送方向に複数列に溝部が形成され、前記マクロ検査用ステージは、前記複数列に形成された溝部に収納される櫛歯状に形成された基板支持部を有し、マクロ検査時に前記マクロ検査ステージが前記浮上ステージから分離し前記ガラス基板を吸着保持した状態で所定の傾斜角度に回動されることを特徴とする請求項１に記載の基板検査装置。
【請求項４】
前記マクロ検査用ステージは、櫛歯状に形成された複数の基板支持部からなり、これらの基板支持部の上面に前記ガラス基板を浮上させる浮上手段を設け、このマクロ検査用ステージを前記浮上ステージに併設して浮上ステージとして兼用することを特徴とする請求項１に記載の基板検査装置。
【請求項５】
前記マクロ用検査ステージは、水平な姿勢に待機した状態おいて前記各基板支持部の上面が前記浮上ブロックの上面と同一になるようにロックされることを特徴とする請求項４記載の基板検査装置。
【請求項６】
前記マクロ用検査ステージは、前記基板支持部の上面に前記ガラス基板を保持して移動させるスライドアームを有することを特徴とする請求項２乃至５のいずれかに記載の基板検査装置。
【請求項７】
前記マクロ用検査ステージは、ベース部に所定の角度傾けて固定された一対のガイドフレームと、これらのガイドフレームに移動可能に設けられたスライド機構とを備え、このスライド機構に前記マクロ用検査ステージが回転自在に設けられることを特徴とする請求項１に記載の基板検査装置。
【請求項８】
前記マクロ用検査ステージは、ベース部に所定の角度傾けて固定された一対のガイドフレームを備え、このガイドフレームに前記ガラス基板の裏面側から照明するバックライト光源を移動可能に設けられることを特徴とする請求項１に記載の基板検査装置。
【請求項９】
前記搬送部は、上面に前記ガラス基板を吸着保持する複数の吸着保持部と、前記吸着保持部の吸着面が前記浮上ステージ上に浮上する前記ガラス基板の浮上基準高さより僅かに高い位置と前記ガラス基板と接触しない退避位置に移動させる昇降手段とを備え、前記浮上ステージ上に浮上した前記ガラス基板を基準ピンに押し付けピンにより位置決めする際に、前記昇降手段により前記搬送部を上昇させて前記吸着保持部を前記ガラス基板の裏面に接触させた状態で位置決めすることを特徴とする請求項１に記載の基板検査装置。
【手続補正２】
【補正対象書類名】明細書
【補正対象項目名】０００５
【補正方法】変更
【補正の内容】
【０００５】
上記課題を解決するために、この発明は以下の手段を提案している。
本発明の基板検査装置は、ガラス基板を所定の高さに浮上させる浮上ステージと、
前記浮上ステージ上に浮上された前記ガラス基板の側縁部を保持して搬送する搬送部と、前記搬送部の搬送方向と直交する方向に配置される門型フレームと、前記門型フレームの水平アーム部に沿って移動可能に設けられる検査ヘッドと、前記浮上ステージに分離可能に設けられ、前記搬送部により搬送された前記ガラス基板の裏面を吸着保持してマクロ観察し易い傾斜角度に回動するマクロ検査用ステージと、前記マクロ検査用ステージに保持された前記ガラス基板を照明するマクロ照明部とを備えたことを特徴としている。
【手続補正書】
【提出日】平成19年7月12日(2007.7.12)
【手続補正１】
【補正対象書類名】明細書
【補正対象項目名】特許請求の範囲
【補正方法】変更
【補正の内容】
【特許請求の範囲】
【請求項１】
固体状態で蛍光を有し、ポリスチレン換算の数平均分子量が５×１０4〜１×１０8であり、下記式（１）および式（３）で示される繰り返し単位をそれぞれ１種類以上含み、該繰り返し単位の合計が全繰り返し単位の５０モル％以上であり、かつ式（１）および式（３）で示される繰り返し単位の合計に対して、式（１）で示される繰り返し単位の合計が０．１モル％以上１５モル％以下であることを特徴とする高分子蛍光体。
【化１】
2002003834.tif 000001
・・・・・（１）
〔ここで、Ａｒ1は、主鎖部分に含まれる炭素原子数が６個以上６０個以下からなるアリーレン基、または主鎖部分に含まれる炭素原子数が４個以上６０個以下からなる２価の複素環化合物基である。また、Ａｒ2は、炭素数６個から６０個のアリール基、または炭素数４個から６０個の複素環化合物基である。該Ａｒ2は、さらに置換基を有していてもよい。ｌは１〜４の整数、ｍは１〜４の整数である。ただし、ｌ＋ｍが、式（１）のＡｒ1に置換できる最大数を越えることはない。Ｘは酸素原子、硫黄原子または下記式（２）で示される基を示す。また、Ｒ3は、炭素数１〜２０のアルキル基、炭素数６〜６０のアリール基、炭素数７〜６０のアリールアルキル基および炭素数４〜６０の複素環化合物基からなる群から選ばれる基を示す。Ｒ1、Ｒ2は、それぞれ独立に水素原子、炭素数１〜２０
のアルキル基、炭素数６〜６０のアリール基、炭素数４〜６０の複素環化合物基およびシアノ基からなる群から選ばれる基を示す。ｎは０または１である。〕
【化２】
−ＣＲ4＝ＣＲ5−  ・・・・・（２）
〔ここで、Ｒ4、Ｒ5は、それぞれ独立に水素原子、炭素数１〜２０のアルキル基、炭素数６〜６０のアリール基、炭素数４〜６０の複素環化合物基およびシアノ基からなる群から選ばれる基を示す。〕
【化３】
−Ａｒ3−（ＣＲ6＝ＣＲ7）k−        ・・・・・（３）
〔ここで、Ａｒ3は、主鎖部分に含まれる炭素原子の数が６個以上６０個以下からなるアリーレン基、または主鎖部分に含まれる炭素原子の数が４個以上６０個以下からなる複素環化合物基である。該Ａｒ3は置換基を有していてもよいが、式（１）の−Ａｒ2および−Ｘ−Ｒ3で示される置換基を同時に有することはない。また、Ｒ6、Ｒ7は、それぞれ独立に水素原子、炭素数１〜２０のアルキル基、炭素数６〜６０のアリール基、炭素数４〜６０の複素環化合物基およびシアノ基
からなる群から選ばれる基を示す。ｋは０または１である。〕
【請求項２】
式（１）のＡｒ2が、置換基として、炭素数１〜２０の直鎖状、分岐状または環状のアルキル基、炭素数１〜２０の直鎖状、分岐状または環状のアルコキシ基、炭素数１〜２０の直鎖状、分岐状または環状のアルキルチオ基、炭素数１〜６０のモノ、ジまたはトリアルキルシリル基、炭素数１〜４０のモノまたはジアルキルアミノ基、炭素数６〜６０のアリール基、炭素数６〜６０のアリールオキシ基、炭素数７〜６０のアリールアルキル基、炭素数７〜６０のアリールアルコキシ基、炭素数６〜６０のアリールアミノ基、炭素数４〜６０の複素環化合物基およびシアノ基からなる群から選ばれる置換基を有しており、該
アリール基、アリールオキシ基、アリールアルキル基、アリールアルコキシ基、アリールアミノ基または複素環化合物基はさらに置換基を有していてもよく、さらに上記すべての基の炭素原子は酸素原子、硫黄原子と置き換えられていてもよいものであることを特徴とする請求項１記載の高分子蛍光体。
【請求項３】
請求項１記載の式（１）で示される繰り返し単位のみからなるポリマーの吸収端波長をλ1（ｎｍ）、請求項１記載の式（３）で示される繰り返し単位のみからなるポリマーの吸収端波長をλ2（ｎｍ）としたとき、以下の関係が成り立つように、式（１）および式（３）で示される繰り返し単位が選択されることを特徴とする請求項１または２記載の高分子蛍光体。
１２３９／λ2  ≧  １２３９／λ1＋０．０５０
【請求項４】
少なくとも一方が透明または半透明である一対の陽極および陰極からなる電極間に、発光層を有する高分子発光素子において、請求項１〜３のいずれかに記載の高分子蛍光体が、該発光層中に含まれることを特徴とする高分子発光素子。
【請求項５】
少なくとも一方の電極と発光層との間に該電極に隣接して導電性高分子を含む層を設けたことを特徴とする請求項４記載の高分子発光素子。
【請求項６】
少なくとも一方の電極と発光層との間に該電極に隣接して膜厚２ｎｍ以下の絶縁層を設けたことを特徴とする請求項４記載の高分子発光素子。
【請求項７】
陰極と発光層との間に、該発光層に隣接して電子輸送性化合物からなる層を設けたことを特徴とする請求項４〜６のいずれかに記載の高分子発光素子。
【請求項８】
陽極と発光層との間に、該発光層に隣接して正孔輸送性化合物からなる層を設けたことを特徴とする請求項４〜６のいずれかに記載の高分子発光素子。
【請求項９】
陰極と発光層との間に、該発光層に隣接して電子輸送性化合物からなる層、および陽極と発光層との間に、該発光層に隣接して正孔輸送性化合物からなる層を設けたことを特徴とする請求項４〜６のいずれかに記載の高分子発光素子。
【請求項１０】
請求項４〜９のいずれかに記載の高分子発光素子を用いたことを特徴とする面状光源。
【請求項１１】
請求項４〜９のいずれかに記載の高分子発光素子を用いたことを特徴とするセグメント表示装置。
【請求項１２】
請求項４〜９のいずれかに記載の高分子発光素子を用いたことを特徴とするドットマトリックス表示装置。
【請求項１３】
請求項４〜９のいずれかに記載の高分子発光素子をバックライトとすることを特徴とする液晶表示装置。